(57)【要約】【課題】駐車車両の防犯性を低下させることなく、駐車車両の移動を容易にすること。【解決手段】車両移動システム１０は、緊急車両１００の走行路上に駐車され、緊急車両１００の通行を妨げる駐車車両１０１を移動させる。また、車両移動システム１０は、緊急車両１００に設けられ、駐車車両１０１の駐車状態を解除する為の解除信号を送信する送信手段１と、駐車車両１０１に設けられ、送信手段１により送信された解除信号を受信する受信手段１１と、受信手段１１により受信された解除信号に基づいて、駐車車両１０１の駐車状態を解除し、解除状態にする駐車状態解除手段１２ａと、を備えている。【選択図】図１
2007328602.tif 000002
【特許請求の範囲】
【請求項１】
緊急車両の走行路上に駐車され、該緊急車両の通行を妨げる駐車車両を移動させる車両移動システムであって、
前記緊急車両に設けられ、前記駐車車両の駐車状態を解除する為の解除信号を送信する送信手段と、
前記駐車車両に設けられ、前記送信手段により送信された前記解除信号を受信する受信手段と、
前記受信手段により受信された前記解除信号に基づいて、前記駐車車両の駐車状態を解除し、解除状態にする駐車状態解除手段と、を備えることを特徴とする車両移動システム。
【請求項２】
請求項１記載の車両移動システムであって、
前記受信手段による前記解除信号の受信が途絶えたとき、前記駐車車両を前記解除状態から前記駐車状態に復帰させる駐車状態復帰手段を更に備える、ことを特徴とする車両移動システム。
【請求項３】
請求項１記載の車両移動システムであって、
前記送信手段は、前記駐車車両を前記解除状態から前記駐車状態に復帰させる復帰信号を、前記受信手段に対して送信し、
前記送信手段からの前記復帰信号に基づいて、前記駐車車両を前記解除状態から前記駐車状態に復帰させる駐車状態復帰手段を更に備える、ことを特徴とする車両移動システム。
【請求項４】
請求項３記載の車両移動システムであって、
前記緊急車両が走行路上の前記駐車車両を通過したか否かを判断する通過判断手段を更に備え、
前記通過判断手段により、前記緊急車両が走行路上の前記駐車車両を通過したと判断されたとき、前記駐車状態復帰手段は、前記駐車車両を前記解除状態から前記駐車状態に復帰させる、ことを特徴とする車両移動システム。
【請求項５】
請求項１乃至４のうちいずれか１項記載の車両移動システムであって、
前記駐車状態解除手段により、前記駐車車両が前記駐車状態から前記解除状態になされたとき、前記駐車車両の駐車状態の解除を通知する通知手段を更に備える、ことを特徴とする車両移動システム。
【請求項６】
請求項１乃至５のうちいずれか１項記載の車両移動システムであって、
前記駐車状態は、駐車用ブレーキ装置が前記駐車車両を制動している状態、前記駐車車両の自動変速装置が駐車レンジにある状態、ステアリングのロック装置がロックされた状態、及び、前記駐車車両のイモビライザが作動している状態、のうち少なくとも１つを含む、ことを特徴とする車両移動システム。
【請求項７】
請求項１乃至６のうちいずれか１項記載の車両移動システムであって、
前記駐車状態解除手段は、前記駐車用ブレーキ装置による制動力、前記自動変速装置の駐車レンジ、前記駐車車両のステアリングロック、前記駐車車両のイモライザ、及び、前記駐車車両のドアロック、のうち少なくとも１つを解除する、ことを特徴とする車両移動システム。
【請求項８】
請求項１記載の車両移動システムであって、
前記駐車車両の制動力を制御する制動力制御手段と、
前記駐車車両の車速を検出する車速検出手段と、を更に備え、
前記解除状態において、前記制動力制御手段は、前記車速検出手段により検出された前記車速が所定速度以下となるように、前記駐車車両の制動力を制御する、ことを特徴とする車両移動システム。
【請求項９】
請求項１乃至８のうちいずれか１項記載の車両移動システムであって、
前記受信手段により受信された前記解除信号に基づいて、前記駐車車両のエンジン始動を許可する始動許可手段を更に備える、ことを特徴とする車両移動システム。
【発明の詳細な説明】
【技術分野】
【０００１】
本発明は、緊急車両の走行路上に駐車され、緊急車両の走行を妨げる駐車車両を移動させる車両移動システムに関する。
【背景技術】
【０００２】
従来、車両が特定地域内にあると判定されたとき、ドア解錠装置の解錠動作と、エンジン始動装置のエンジン始動動作と、を許可する車両移動システムが知られている（例えば、特許文献１参照）。例えば、災害時に通信センタからの信号により、特定地域内における、緊急車両の走行を妨げる駐車車両のドア解錠及びエンジン始動を行い、当該駐車車両を移動させることができる。
【特許文献１】特開２００５−１０４３２７号公報
【発明の開示】
【発明が解決しようとする課題】
【０００３】
しかしながら、上記従来の車両移動システムでは、緊急車両の通行を妨げる駐車車両だけでなく、特定地域内の全ての車両のドア解錠、エンジン始動等が可能となる為、駐車車両の防犯性が低下する虞がある。
【０００４】
本発明はこのような課題を解決するためのものであり、駐車車両の防犯性を低下させることなく、駐車車両の移動を容易にすることを主たる目的とする。
【課題を解決するための手段】
【０００５】
上記目的を達成するための本発明の一態様は、
緊急車両の走行路上に駐車され、該緊急車両の通行を妨げる駐車車両を移動させる車両移動システムであって、
前記緊急車両に設けられ、前記駐車車両の駐車状態を解除する為の解除信号を送信する送信手段と、
前記駐車車両に設けられ、前記送信手段により送信された前記解除信号を受信する受信手段と、
前記受信手段により受信された前記解除信号に基づいて、前記駐車車両の駐車状態を解除し、解除状態にする駐車状態解除手段と、を備えることを特徴とする車両移動システムである。
【０００６】
この一態様によれば、駐車状態解除手段は、受信手段により受信された解除信号に基づいて、駐車車両の駐車状態を解除し、解除状態にする。これにより、緊急車両の通行を妨げる駐車車両のみを、駐車状態から解除状態にして、移動させることが可能となる。したがって、緊急車両の通行を確実に可能にしつつ、緊急車両の通行の妨げにならない駐車車両は、解除状態にされることがない為、駐車車両の防犯性を低下させることなく、駐車車両の移動を容易にすることができる。
【０００７】
この一態様において、前記受信手段による前記解除信号の受信が途絶えたとき、前記駐車車両を前記解除状態から前記駐車状態に復帰させる駐車状態復帰手段を更に備えていてもよい。これにより、駐車車両を移動させ、緊急車両が通過するときの短時間だけ、駐車車両を解除状態にすることができる。したがって、駐車車両の防犯性を低下させることなく、駐車車両の移動を容易にすることができる。
【０００８】
この一態様において、前記送信手段は、前記駐車車両を前記解除状態から前記駐車状態に復帰させる復帰信号を、前記受信手段に対して送信し、
前記送信手段からの前記復帰信号に基づいて、前記駐車車両を前記解除状態から前記駐車状態に復帰させる駐車状態復帰手段を更に備えていてもよい。これにより、駐車車両を移動させ、緊急車両が通過するときの短時間だけ、駐車車両を解除状態にすることができる。したがって、駐車車両の防犯性を低下させることなく、駐車車両の移動を容易にすることができる。
【０００９】
この一態様において、前記緊急車両が走行路上の前記駐車車両を通過したか否かを判断する通過判断手段を更に備え、
前記通過判断手段により、前記緊急車両が走行路上の前記駐車車両を通過したと判断されたとき、前記駐車状態復帰手段は、前記駐車車両を前記解除状態から前記駐車状態に復帰させてもよい。これにより、緊急車両が走行路上の駐車車両を通過したとき、駐車車両を解除状態から駐車状態に復帰させることができる。
【００１０】
この一態様において、前記駐車状態解除手段により、前記駐車車両が前記駐車状態から前記解除状態になされたとき、前記駐車車両の駐車状態の解除を通知する通知手段を更に備えていてもよい。これにより、ユーザは、駐車車両の駐車状態が解除されたことを、容易に認識することができる。
【００１１】
この一態様において、前記駐車状態は、駐車用ブレーキ装置が前記駐車車両を制動している状態、前記駐車車両の自動変速装置が駐車レンジにある状態、ステアリングのロック装置がロックされた状態、及び、前記駐車車両のイモビライザが作動している状態、のうち少なくとも１つを含む、こととしてもよい。
【００１２】
この一態様において、前記駐車状態解除手段は、前記駐車用ブレーキ装置による制動力、前記自動変速装置の駐車レンジ、前記駐車車両のステアリングロック、前記駐車車両のイモビライザ、及び、前記駐車車両のドアロック、のうち少なくとも１つを解除する、こととしてもよい。これにより、駐車車両を容易に移動させることができる。
【００１３】
この一態様において、前記駐車車両の制動力を制御する制動力制御手段と、
前記駐車車両の車速を検出する車速検出手段と、を更に備え、
前記解除状態において、前記制動力制御手段は、前記車速検出手段により検出された前記車速が所定速度以下となるように、前記駐車車両の制動力を制御する、こととしてもよい。これにより、解除状態にある駐車車両を移動させるときに、駐車車両の車速を適切な車速で確実に移動させることができる。
【００１４】
この一態様において、前記受信手段により受信された前記解除信号に基づいて、前記駐車車両のエンジン始動を許可する始動許可手段を更に備える、こととしてもよい。これにより、解除状態となった駐車車両のエンジンを始動させて、緊急車両の通行を妨げない位置へ、容易に移動させることが可能となる。
【００１５】
この一態様において、前記緊急車両は、例えば、消防車、救急車及び災害用車両のうち少なくとも１つを含む、こととしてもよい。
【発明の効果】
【００１６】
本発明によれば、駐車車両の防犯性を低下させることなく、駐車車両の移動を容易にすることができる。
【発明を実施するための最良の形態】
【００１７】
以下、本発明を実施するための最良の形態について、添付図面を参照しながら実施例を挙げて説明する。
【００１８】
図１は、本発明の一実施例に係る車両移動システムのシステム構成を示すブロック図である。
【００１９】
本実施例に係る車両移動システム１０は、緊急車両１００の走行路上に駐車され、緊急車両１００の通行を妨げる駐車車両１０１を移動させることが可能となる（図２（ａ））。なお、緊急車両１００として、例えば、救急車、消防車、災害用車両等の緊急を要する車両を指す。
【００２０】
緊急車両１００は、駐車車両１０１との間で車車間通信を行う車載通信機（送信手段）１と、駐車車両１０１等を撮影するカメラ２と、カメラ２により撮影された撮影画像に基づいて、各種処理を行う緊急ＥＣＵ（Ｅｌｅｃｔｒｏｎｉｃ  Ｃｏｎｔｒｏｌ  Ｕｎｉｔ、電子制御装置）３と、を備えている。
【００２１】
カメラ２は、例えば、緊急車両１００の前方に配設されたＣＣＤカメラ、ＣＭＯＳカメラ等が用いられ、緊急車両１００の走行路に存在する駐車車両１０１を撮影する。カメラ２により撮影された駐車車両１０１の撮影画像は、緊急ＥＣＵ３に対して送信される。
【００２２】
緊急ＥＣＵ３は、カメラ２により撮影された走行路の撮影画像に基づいて、緊急車両１００の走行路上に駐車され、緊急車両１００の通行を妨げる駐車車両１０１を検出する。
【００２３】
緊急ＥＣＵ３は、カメラ２により撮影された走行路の撮影画像に基づいて、例えば、走行路上に停止している車両のうち、車室内に人が存在しない車両を駐車車両１０１として、検出する。
【００２４】
緊急ＥＣＵ３は、緊急車両１００の通行を妨げる駐車車両１０１を検出すると、この駐車車両１０１の駐車状態を解除させる為の解除信号を、車載通信機１を介して、駐車車両１０１に対して送信する。
【００２５】
また、緊急ＥＣＵ３は、カメラ２により撮影された走行路の撮影画像に基づいて、緊急車両１００が駐車車両１０１を通過したか否かを判断する通過判断部（通過判断手段）３ａを有している。通過判断部３ａにより、緊急車両１００が駐車車両１０１を通過したと判断されると、緊急ＥＣＵ３は、駐車車両１０１を解除状態から駐車状態に復帰させる為の復帰信号を、車載通信機１を介して、駐車車両１０１に送信する。
【００２６】
駐車車両１０１には、緊急車両１００の車載通信機１との間で車車間通信を行う車載通信機（受信手段）１１が配設されている。車載通信機１１には、駐車車両１０１の車載機器を制御する駐車ＥＣＵ１２が接続されている。駐車ＥＣＵ１２は、車載通信機１１を介して、緊急車両１００の車載通信機１から送信される解除信号及び復帰信号を受信する。
【００２７】
駐車ＥＣＵ１２は、緊急車両１００からの解除信号を、車載通信機１１を介して受信すると、駐車車両１０１の駐車状態を解除し、解除状態にする駐車状態解除部（駐車状態解除手段）１２ａと、駐車車両１０１の解除状態を駐車状態に復帰させる駐車状態復帰部（駐車状態復帰手段）１２ｂと、を有している。
【００２８】
駐車ＥＣＵ１２の駐車状態解除部１２ａ及び駐車状態復帰部１２ｂには、例えば、駐車車両１０１の車輪に制動力を付加する駐車用ブレーキ装置（パーキングブレーキ装置ＥＰＢ）１３と、変速を行う自動変速装置（オートマチック・トランスミッション装置ＡＴ）１４と、駐車車両１０１の各ドアをロック（施錠）又はアンロック（解錠）するドアロック装置１５と、が接続されている。
【００２９】
駐車状態解除部１２ａは、駐車用ブレーキ装置１３に対して制御信号を送信することで、駐車用ブレーキ装置１３の制動力を制御し、車輪の制動力を解除して、駐車車両１０１を駐車状態から解除状態にする。
【００３０】
また、駐車状態解除部１２ａは、自動変速装置１４に対して制御信号を送信することで、自動変速装置１４の変速状態を制御し、駐車車両１０１の変速レンジをパーキングＰレンジからニュートラルＮレンジに可変させ、駐車車両１０１を駐車状態から解除状態にする。
【００３１】
さらに、駐車状態解除部１２ａは、ドアロック装置１５に対して制御信号を送信することで、ドアロック装置１５を制御し、駐車車両１０１の各ドアをロック状態からアンロック状態にして、駐車車両１０１を駐車状態から解除状態にする。
【００３２】
なお、上述のように、駐車車両１０１が解除状態となると、緊急車両１００の通行を妨げる位置Ｐ１に駐車された駐車車両１０１を、例えば、緊急車両１００の通行を妨げない位置（走行路の端等）Ｐ２に移動させることが可能となる（図２（ｂ））。したがって、緊急車両１００は、走行路を確実に通行することが可能となる。
【００３３】
また、駐車状態復帰部１２ｂは、駐車用ブレーキ装置１３に対して制御信号を送信することで、駐車用ブレーキ装置１３の制動力を制御し、車輪に制動力を付加して、駐車車両１０１を解除状態から駐車状態にする。
【００３４】
さらに、駐車状態復帰部１２ｂは、自動変速装置１４に対して制御信号を送信することで、自動変速装置１４の変速状態を制御し、駐車車両１０１の変速レンジをニュートラルＮレンジからパーキングＰレンジに可変させ、駐車車両１０１を解除状態から駐車状態にする。
【００３５】
駐車状態復帰部１２ｂは、ドアロック装置１５に対して制御信号を送信することで、ドアロック装置１５を制御し、駐車車両１０１の各ドアをアンロック状態からロック状態にして、駐車車両１０１を解除状態から駐車状態にする。
【００３６】
なお、上記緊急ＥＣＵ３及び駐車ＥＣＵ１２は、マイクロコンピュータから構成されており、制御、演算プログラムに従って各種処理を実行するとともに、当該システム１０の各部を制御するＣＰＵ（Ｃｅｎｔｒａｌ  Ｐｒｏｃｅｓｓｉｎｇ  Ｕｎｉｔ）、ＣＰＵの実行プログラムを格納するＲＯＭ（Ｒｅａｄ  Ｏｎｌｙ  Ｍｅｍｏｒｙ）、演算結果等を格納する読書き可能なＲＡＭ（Ｒａｎｄｏｍ  Ａｃｃｅｓｓ  Ｍｅｍｏｒｙ）、タイマ、カウンタ、入力インターフェイス、及び出力インターフェイス等を有している。
【００３７】
また、上述の緊急ＥＣＵ３の通過判断部３ａ、駐車ＥＣＵ１２の駐車状態解除部１２ａ及び駐車状態復帰部１２ｂは、例えば、ＲＯＭに格納され、ＣＰＵが実行するプログラムによって実現されている。
【００３８】
次に、本実施例に係る車両移動システム１０の制御処理フローの一例について、説明する。図３は、本実施例に係る車両移動システム１０の制御処理フローの一例を示すフローチャートである。なお、図３に示す制御処理フローは、所定の微少時間毎に繰り返し実行される。
【００３９】
緊急ＥＣＵ３は、カメラ２により撮影された走行路の撮影画像に基づいて、図２（ａ）に示す如く、緊急車両１００の走行路上に駐車され、緊急車両１００の通行を妨げる駐車車両１０１を検出する（Ｓ１００）。
【００４０】
緊急ＥＣＵ３は、緊急車両１００の通行を妨げる駐車車両１０１を検出すると（Ｓ１００のＹｅｓ）、車載通信機１を介して、駐車車両１０１の駐車ＥＣＵ１２に対して解除信号を送信する（Ｓ１１０）。これにより、緊急車両１００の走行を妨げる駐車車両１０１のみを検出して、当該駐車車両１０１のみを解除状態し、移動させることができる。
【００４１】
一方、緊急ＥＣＵ３は、緊急車両１００の通行を妨げる駐車車両１０１を検出しないとき（Ｓ１００のＮｏ）、本制御処理ルーチンを終了させる。
【００４２】
駐車ＥＣＵ１２の駐車状態解除部１２ａは、緊急ＥＣＵ３から送信される解除信号を、車載通信機１１を介して、受信すると、駐車車両１０１を駐車状態から解除状態にする（Ｓ１２０）。
【００４３】
例えば、駐車状態解除部１２ａは、駐車用ブレーキ装置１３を制御して、駐車車両１０１の各車輪に付加される制動力を解除する。また、駐車状態解除部１２ａは、自動変速装置１４を制御して、駐車車両１０１の変速レンジをパーキングＰレンジからニュートラルＮレンジに可変させる。さらに、駐車状態解除部１２ａは、ドアロック装置１５を制御して、駐車車両１０１の各ドアをアンロック状態からロック状態にする。上述のように駐車車両１０１を解除状態にすることで、例えば、緊急車両１００が通行可能なように、駐車車両１０１を任意の位置へ、容易に移動させることができる。
【００４４】
次に、図２（ｂ）に示す如く、駐車車両１０１は、緊急車両１００の通行を妨げる駐車位置Ｐ１から、緊急車両１００が走行路を通行できるような、例えば、走行路の端の位置Ｐ２に移動され（Ｓ１３０）、緊急車両１００は駐車車両１０１を通過する。
【００４５】
緊急ＥＣＵ３の通過判断部３ａは、カメラ２により撮影された走行路の撮影画像に基づいて、緊急車両１００が駐車車両１０１を通過したか否かを判断する（Ｓ１４０）。
【００４６】
通過判断部３ａにより、緊急車両１００が駐車車両１０１を通過したと判断されると（Ｓ１４０のＹｅｓ）、緊急ＥＣＵ３は復帰信号を、車載通信機１を介して、駐車車両１０１の駐車ＥＣＵ１２に対して送信する（Ｓ１５０）。
【００４７】
一方、通過判断部３ａにより、緊急車両１００が駐車車両１０１を通過していないと判断されると（Ｓ１４０のＮｏ）、上記（Ｓ１４０）処理に戻る。
【００４８】
駐車ＥＣＵ１２の駐車状態復帰部１２ｂは、緊急ＥＣＵ３から送信される復帰信号を、車載通信機１１を介して、受信すると、駐車車両１０１を解除状態から駐車状態にする（Ｓ１６０）。これにより、駐車車両１０１を移動させ、緊急車両１００が通過するときだけ、駐車車両１０１を解除状態にすることができる。
【００４９】
例えば、駐車状態復帰部１２ｂは復帰信号を受信すると、駐車用ブレーキ装置１３を制御して、駐車車両１０１の各車輪に制動力を付加する。また、駐車状態復帰部１２ｂは、自動変速装置１４を制御して、駐車車両１０１の変速レンジをニュートラルＮレンジからパーキングＰレンジに可変させる。さらに、駐車状態復帰部１２ｂは、ドアロック装置１５を制御して、駐車車両１０１の各ドアをロック状態からアンロック状態にする。
【００５０】
以上、本実施例に係る車両移動システム１０において、緊急ＥＣＵ３は、緊急車両１００の通行を妨げる駐車車両１０１を検出すると、駐車車両１０１の駐車ＥＣＵ１２に対して解除信号を送信する。そして、駐車ＥＣＵ１２の駐車状態解除部１２ａは、緊急ＥＣＵ３から送信される解除信号を受信すると、駐車車両１０１を駐車状態から解除状態にする。これにより、緊急車両１００の通行を妨げる駐車車両１０１のみを駐車状態から解除状態にして、移動させることが可能となる。したがって、緊急車両１００の通行を確実に可能にしつつ、緊急車両１００の通行の妨げにならない駐車車両１０１は、解除状態にされることがない為、第三者の侵入等を確実に防止することができる。すなわち、駐車車両１０１の防犯性を低下させることなく、駐車車両の移動を容易にすることができる。
【００５１】
また、緊急ＥＣＵ３の通過判断部３ａにより、緊急車両１００が駐車車両１０１を通過したと判断されると、緊急ＥＣＵ３は、復帰信号を駐車ＥＣＵ１２に対して送信する。そして、駐車ＥＣＵ１２の駐車状態復帰部１２ｂは、復帰信号を受信すると、駐車車両１０１を解除状態から駐車状態にする。これにより、駐車車両１０１を移動させ、緊急車両１００が通過するときの短時間だけ、駐車車両１０１を解除状態にすることができる。したがって、駐車車両１０１の防犯性を低下させることなく、駐車車両の移動を容易にすることができる。
【００５２】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００５３】
例えば、上記一実施例において、駐車車両１０１の車載通信機１１と緊急車両１００の車載通信機１とは、車車間通信を行っているが、緊急車両１００の走行路上に配設された路上通信機を介して、路車間通信を行ってもよい。
【００５４】
上記一実施例において、カメラ２の撮影画像に基づいて、緊急車両１００の通行を妨げる駐車車両１０１を検出し、また、緊急車両１００が駐車車両１０１を通過したこと判断しているが、超音波センサ、レーダセンサ（ミリ波レーダ等）、赤外線センサ等からの信号により上記検出及び判断してもよい。
【００５５】
上記一実施例において、駐車ＥＣＵ１２の駐車状態解除部１２ａは、緊急ＥＣＵ３からの解除信号を、車載通信機１１を介して受信すると、エンジンを統合的に制御するエンジンＥＣＵ（始動許可手段）に対して、制御信号を送信することで、エンジン始動が可能な状態にしてもよい。これにより、解除状態となった駐車車両１０１のエンジンを始動させて、駐車車両１０１を緊急車両１００の通行を妨げない位置へ、容易に移動させることが可能となる。例えば、駐車車両１０１が大型車両である場合に、エンジンの駆動力により容易に移動が可能となる為、効果的である。
【００５６】
上記一実施例において、駐車ＥＣＵ１２の駐車状態解除部１２ａは、緊急ＥＣＵ３からの解除信号を受信し、駐車車両１０１を解除状態にすると、各車輪の制動力を制御するブレーキＥＣＵ（制動力制御手段）に制御信号を送信してもよい。ブレーキＥＣＵは、駐車ＥＣＵ１２からの制御信号に基づいて、駐車車両１０１の車速を所定速度（例えば、１〜２ｋｍ／ｈ）以下に維持されるように、各車輪の制動力を制御する。
【００５７】
これにより、解除状態にある駐車車両１０１を移動させるときに、駐車車両１０１の車速を適切な車速で確実に移動させることができる。例えば、駐車車両１０１が坂路に駐車されていた場合に、駐車車両１０１が解除状態となると重力の作用により、駐車車両１０１が坂路を下る方向へ加速される虞がある。この場合でも、駐車車両１０１の車速は、適切な車速に制御させることから、解除状態の駐車車両１０１を、容易に移動させることができる。
【００５８】
上記一実施例において、緊急ＥＣＵ３は、緊急車両１００の通行を妨げる駐車車両１０１を検出すると（Ｓ１００のＹｅｓ）、車載通信機１を介して、駐車車両１０１の駐車ＥＣＵ１２に対して解除信号を継続的に送信してもよい。この場合、緊急ＥＣＵ３の通過判断部３ａにより、緊急車両１００が駐車車両１０１を通過したと判断されると、解除信号の送信を停止する。駐車ＥＣＵ１２の駐車状態復帰部１２ｂは、緊急ＥＣＵ３からの解除信号が途絶えたと判断すると、駐車車両１０１を解除状態から駐車状態にする。これにより、簡易に、駐車車両１０１を駐車状態から解除状態にし、さらに、解除状態から駐車状態にすることができる。
【００５９】
上記一実施例において、駐車ＥＣＵ１２は、駐車車両１０１を駐車状態から解除状態にしたとき、当該駐車状態が解除された旨をユーザに通知するようにしてもよい。例えば、駐車ＥＣＵ１２は、緊急ＥＣＵ３から解除信号を受信すると、駐車車両１０１を駐車状態から解除状態にすると共に、情報センタを介して、ユーザの携帯電話等の携帯端末に対して、駐車車両１０１が解除状態にされた旨の通知を行ってもよい。また、駐車車両１０１に配設されたスピーカ、ライト等を用いて、駐車車両１０１の駐車状態が解除された旨を、駐車車両１０１周辺にいるユーザに対して、通知を行うようにしてもよい。
【００６０】
これにより、ユーザは、駐車車両１０１の駐車状態が解除されたことを、容易に認識することができる。また、ユーザにより、駐車車両１０１の解除が認識されることから、駐車車両１０１の防犯性がより向上する。なお、情報センタは、任意のユーザに対して、各種の情報を提供するサーバとしての機能を有している。
【００６１】
さらに、駐車ＥＣＵ１２は、駐車車両１０１を解除状態から駐車状態にしたとき、当該駐車状態に復帰された旨をユーザに通知するようにしてもよい。これにより、ユーザは、駐車車両１０１の解除状態が駐車状態に復帰されたことを、容易に認識することができる。
【００６２】
上記一実施例において、駐車ＥＣＵ１２の駐車状態解除部１２ａ及び駐車状態復帰部１２ｂには、ステアリング操作をロックするステアリングロック装置１６及び駐車車両１０１のイモビライザを作動させるイモビライザ装置１７が接続されていてもよい。
【００６３】
例えば、駐車状態解除部１２ａは解除信号を受信すると、ステアリングロック装置１６を制御して、ステアリングをロック状態からアンロック状態にする。また、駐車状態解除部１２ａは解除信号を受信すると、イモビライザ装置１７を制御して、イモビライザの作動を停止させる。
【００６４】
一方、駐車状態復帰部１２ｂは復帰信号を受信すると、ステアリング装置１６を制御して、ステアリングをアンロック状態からロック状態にする。また、駐車状態復帰部１２ｂは復帰信号を受信すると、イモビライザ装置１７を制御して、イモビライザを作動させる。
【産業上の利用可能性】
【００６５】
本発明は、緊急車両１００の走行路上に駐車され、緊急車両１００の走行を妨げる駐車車両１０１を移動させる車両移動システムに利用できる。
【図面の簡単な説明】
【００６６】
【図１】本発明の一実施例に係る車両移動システムのシステム構成を示すブロック図である。
【図２】（ａ）緊急車両の走行路上に駐車され、緊急車両の通行を妨げる駐車車両の一例を示す図である。（ｂ）緊急車両の通行を妨げる位置に駐車された駐車車両を、緊急車両の通行を妨げない位置に移動させる一例を示す図である。
【図３】本発明の一実施例に係る車両移動システムの制御処理フローの一例を示すフローチャートである。
【符号の説明】
【００６７】
１    車載通信機
２    カメラ
３    緊急ＥＣＵ
３ａ  通過判断部
１０    車両移動システム
１１    車載通信機
１２    駐車ＥＣＵ
１２ａ  駐車状態解除部
１２ｂ  駐車状態復帰部
１３    駐車用ブレーキ装置
１４    自動変速装置
１５    ドアロック装置
１００    駐車車両
１０１    緊急車両
【図１】
2007328602.tif 000003
【図２】
2007328602.tif 000004
【図３】
2007328602.tif 000005